(57)【要約】【課題】複数種類の調味料を容量を減少させることなく収容できると共に、テーブル上に載置された際の専有面積が小さいコンパクトな調味料入れを提供する。【解決手段】開口部２と底部３を有する容器本体４と、容器本体４の内部に開口部２から底部３に向かって形成された仕切壁５と、仕切壁５によって容器本体４の内部に形成された複数の収容室６と、容器本体４の開口部２を覆うキャップ７と、キャップ７に各収容室６と夫々連通して形成された複数の取出口８と、取出口８を夫々開閉する蓋９とを備えた調味料容器１０を二個備え、これら調味料容器１０の底部３同士を対向させて連結し、各収容室６に液体または粉粒体の調味料を収容するようにした。【選択図】図１
0003208170.tif 000002
【実用新案登録請求の範囲】
【請求項１】
開口部と底部を有する容器本体と、
該容器本体の内部に前記開口部から前記底部に向かって形成された仕切壁と、
該仕切壁によって前記容器本体の内部に形成された複数の収容室と、
前記容器本体の開口部を覆うキャップと、
該キャップに各収容室と夫々連通して形成された複数の取出口と、
該取出口を夫々開閉する蓋とを備えた調味料容器を二個備え、
これら調味料容器の底部同士を対向させて連結し、
各収容室に液体または粉粒体の調味料を収容するようにした、
ことを特徴とする調味料入れ。
【請求項２】
前記キャップに、各収容室と夫々連通する空気孔が、前記取出口よりも前記容器本体の中心側に位置して形成され、
前記蓋が、ヒンジを介して前記キャップに取り付けられ、前記取出口および空気孔を覆う閉姿勢と前記取出口および空気孔を開放する開姿勢とに回動自在であり、
前記蓋に、閉姿勢となったとき、前記空気孔を塞ぐ空気孔プラグと前記取出口を塞ぐ取出口プラグとが突設された、
ことを特徴とする請求項１に記載の調味料入れ。
【請求項３】
前記蓋に係合部を設けると共に、前記キャップに被係合部を設け、
前記係合部が前記被係合部に係合することで前記蓋が閉姿勢に保持される、
ことを特徴とする請求項２に記載の調味料入れ。
【考案の詳細な説明】
【技術分野】
【０００１】
本考案は、複数の異なった種類の液体または粉粒体の調味料を収容でき、コンパクト化を図った調味料入れに関する。
【背景技術】
【０００２】
醤油、ラー油、酢等の液体の調味料、塩、胡椒、七味唐辛子等の粉粒体の調味料は、通常、夫々、別々の容器に収容されており、使用者が、好みに応じて各容器の調味料を、料理に振りかける。しかし、飲食店（ラーメン店、中華料理店等）において、複数の調味料容器をテーブルに並べると、テーブル上において顧客が飲食するためのスペースの減少を招くため、好ましくない。
【０００３】
そこで、一つの容器の内部を複数の収容室に仕切り、各収容室に異なった種類の調味料を収容し、各収容室に別々の取出口を設けた調味料容器が提案されている（特許文献１、２参照）。この種の調味料容器は、開口部と底部を有する筒状の容器本体の内部を、開口部から底部に向かって形成された仕切壁で複数の収容室に仕切り、開口部を覆って装着されたキャップに各収容室毎に取出口を形成し、各取出口を夫々開閉する蓋を備えている。
【０００４】
かかる調味料容器によれば、仕切壁の数を増やすことで、一つの容器に収容できる調味料の種類が増えるので、テーブル上に複数の調味料容器を並べる必要が無くなり、テーブル上における顧客の飲食スペースの増大に繋がる。
【先行技術文献】
【特許文献】
【０００５】
【特許文献１】実開平７−１７１０４３号公報
【特許文献２】実開平１１−３３２７１９号公報
【考案の概要】
【考案が解決しようとする課題】
【０００６】
上述した調味料容器の仕切壁は、筒状の容器の内部に、周方向に間隔を隔てて複数設けられる。よって、調味料の種類を増やすため仕切壁の数を増やすと、各仕切壁で仕切られた夫々の収容室の容積が小さくなってしまい、顧客の使用によってすぐに調味料が無くなってしまう。従って、こまめに補充しなければならず、補充を怠ると、顧客サービスの低下に繋がる。
【０００７】
容器の直径を大きくすれば、各収容室の容積が大きくなるため、上記問題は解決する。しかし、容器をテーブルに載置したとき、テーブル上における容器の専有面積が増大するため、テーブル上における顧客の飲食スペースが小さくなってしまうという問題が生じる。また、直径の大きな容器は、掴み難く、取扱性がよいとは言えない。なお、容器内部の仕切壁の数を減らせば各収容室の容積が大きくなるため、上記問題は解決するが、調味料の種類の減少を招くため、多様化する顧客の好みに対応できない。
【０００８】
以上の事情を考慮して創案された本考案の目的は、複数種類の調味料を容量を減少させることなく収容できると共に、テーブル上に載置された際の専有面積が小さいコンパクトな調味料入れを提供することにある。
【課題を解決するための手段】
【０００９】
上記目的を達成するために創案された本考案によれば、開口部と底部を有する容器本体と、容器本体の内部に開口部から底部に向かって形成された仕切壁と、仕切壁によって容器本体の内部に形成された複数の収容室と、容器本体の開口部を覆うキャップと、キャップに各収容室と夫々連通して形成された複数の取出口と、取出口を夫々開閉する蓋とを備えた調味料容器を二個備え、これら調味料容器の底部同士を対向させて連結し、各収容室に液体または粉粒体の調味料を収容するようにした、ことを特徴とする調味料入れが提供される。
【００１０】
本考案に係る調味料入れにおいては、キャップに、各収容室と夫々連通する空気孔が、取出口よりも容器本体の中心側に位置して形成され、蓋が、ヒンジを介してキャップに取り付けられ、取出口および空気孔を覆う閉姿勢と取出口および空気孔を開放する開姿勢とに回動自在であり、蓋に、閉姿勢となったとき、空気孔を塞ぐ空気孔プラグと取出口を塞ぐ取出口プラグとが突設されていてもよい。
【００１１】
本考案に係る調味料入れにおいては、蓋に係合部を設けると共に、キャップに被係合部を設け、係合部が被係合部に係合することで蓋が閉姿勢に保持されるものであってもよい。
【考案の効果】
【００１２】
本考案に係る調味料入れによれば、開口部と底部を有する容器本体の内部を、開口部から底部に向かって形成された仕切壁で複数の収容室に仕切り、開口部を覆って装着されたキャップに各収容室毎に取出口を形成し、各取出口を夫々開閉する蓋を備えた調味料容器を二個備え、これら調味料容器の底部同士が対向するように連結された構造であるので、調味料容器が１８０度向きを異ならせて上下二段に積層された状態となる。この構成により、複数種類の調味料を容量を減少させることなく収容できると共に、テーブル上に載置された際の専有面積が小さいコンパクトな調味料入れを実現できる。
【図面の簡単な説明】
【００１３】
【図１】本考案の一実施形態に係る調味料入れの斜視図である。
【図２】図１の調味料入れの蓋が閉じた状態の説明図であり、（ａ）は平面図、（ｂ）（ａ）のＸ−Ｘ線断面図である。
【図３】図１の調味料入れの蓋が開いた状態の説明図であり、（ａ）は平面図、（ｂ）（ａ）のＹ−Ｙ線断面図である。
【図４】図１の調味料入れの蓋が閉じてロックされた状態を示す説明図であり、（ａ）は平面図、（ｂ）（ａ）のＺ−Ｚ線断面図である。
【考案を実施するための形態】
【００１４】
以下に添付図面を参照しながら、本考案の好適な実施形態について詳細に説明する。なお、本明細書及び図面において、実質的に同一の機能、構成を有する要素については、同一の符号を付することにより重複説明を省略し、また本考案に直接関係のない要素は図示を省略する。
【００１５】
（調味料入れ１の概要）
図１に示すように、本考案の一実施形態に係る調味料入れ１は、開口部２と底部３を有する容器本体４と、容器本体４の内部に開口部２から底部３に向かって形成された仕切壁５と、仕切壁５によって容器本体４の内部に形成された複数の収容室６と、容器本体４の開口部２を覆うキャップ７と、キャップ７に各収容室６と夫々連通して形成された複数の取出口８と、取出口８を夫々開閉する蓋９とを備えた調味料容器１０を二個備え、これら調味料容器１０の底部３同士を対向させて連結して構成されている。すなわち、この調味料入れ１は、調味料容器１０が１８０度向きを異ならせて底部３同士が連結され、上下二段に積層された構成となっている。各収容室６には、液体の調味料（醤油、ラー油、酢等）、または粉粒体の調味料（塩、胡椒、七味唐辛子等）が収容される。
【００１６】
（容器本体４）
図１に示すように、容器本体４は、ガラス、プラスチック、陶磁器質等の材質から有底円筒状に形成され、一端に開口部２を有し、他端に底部３を有する。容器本体４は、内部の調味料が見えるように、透明であってもよい。
【００１７】
（仕切壁５、収容室６）
図１に示すように、容器本体４の内部には、開口部２から底部３に向かって仕切壁５が設けられており、仕切壁５によって容器本体４の内部が複数の収容室６に区切られている。仕切壁５は、本実施形態においては、円筒状の容器本体４の内部に周方向に１２０度間隔で３枚設けられ、容器本体４の内部が３つの収容室６に区切られているが、１枚の仕切壁５で容器本体４の内部を２つの収容室６に区切ってもよく、仕切壁５を４枚以上として収容室６を４つ以上としてもよい。また、仕切壁５の間隔を周方向に不等間隔として、各収容室６の容積を異ならせてもよい。仕切壁５は、容器本体４と同様の材質が用いられ、壁５の反対側の調味料が見えるように、透明であってもよい。
【００１８】
（キャップ７）
図２（ｂ）、図３（ｂ）に示すように、容器本体４の開口部２には、キャップ７が装着されている。キャップ７は、容器本体４の開口部２を覆う円板部７ａと、円板部７ａの外周縁に沿って形成された円筒部７ｂとを有し、円筒部７ｂの内周面に雌ネジが形成されている。一方、容器本体４の開口部２の外周面には、雄ネジが形成されている。雄ネジに雌ネジが螺合されることで、キャップ７が容器本体４の開口部２に取り付けられ、雌ネジが雄ネジから緩められることで、キャップ７が容器本体４から取り外される。なお、容器本体４の開口部２の頂部が突き当たるキャップ７の円板部７ａの裏面に、ゴム等の弾性材からなるリング状のシールを設けてもよい。キャップ７は、プラスチック等の樹脂から成る。
【００１９】
（取出口８、空気孔１１）
図１、図２に示すように、キャップ７の円板部７ａには、各収容室６と夫々連通するようにして、取出口８が夫々形成されている。使用者（飲食店の顧客）が容器本体４を掴んで所望の取出口８を下方に傾けることで、その取出口８から収容室６内の所望の調味料（液体、粉粒体）が重力の作用によって放出される。
【００２０】
このとき、取出口８が調味料（特に液体）によって塞がれると、収容室６の内部が謂わば真空状態（大気圧以下）となって調味料が取出口８から放出され難くなるので、キャップ７の円板部７ａには、各取出口８よりも容器本体４の中心側に位置して、各収容室６と夫々連通する空気孔１１が夫々形成されている。使用者が容器本体４を掴んで傾けたとき、空気孔１１によって収容室６の内外が連通するため、収容室６の内部が謂わば真空状態となることを防止でき、調味料を取出口８から適切に放出できる。なお、取出口８の形状は、各収容室６から放出される調味料（液体、粉粒体）の種類に応じて、図１に示す円孔状の他、楕円孔状、スリット状、編み目状など、各収容室６ごとに異ならせてもよい。
【００２１】
（蓋９）
図１、図２に示すように、キャップ７には、各取出口８および空気孔１１をセットで開閉するための蓋９が、各収容室６毎に設けられている。蓋７は、ヒンジ１２を介してキャップ７の円板部７ａに取り付けられており、図２に示すように、取出口８および空気孔１１を覆う閉姿勢と、図３に示すように、取出口８および空気孔１１を開放する開姿勢とに、回動自在となっている。蓋９は、閉姿勢のときキャップ７の円板部７ａに着座し、開姿勢のときヒンジ１２によって傾斜した状態に保持される。
【００２２】
（取出口プラグ１３、空気孔プラグ１４）
図１〜図３に示すように、蓋９の裏面には、蓋９が閉姿勢となったとき、取出口８を塞ぐ取出口プラグ１３と、空気孔１１を塞ぐ空気孔プラグ１４とが、突設されている。取出口プラグ１３および空気孔プラグ１４は、取出口８および空気孔１１が形成されたキャップ７（円板部７ａ）よりも軟らかい材質（ゴム、樹脂等）から成り、蓋９が閉姿勢となったとき、取出口８および空気孔１１に圧入されて弾性変形して各孔に嵌り、調味料の漏れを防止するシールとして機能する。
【００２３】
なお、取出口プラグ１３および空気孔プラグ１４は、本実施形態では、図２（ｂ）に示すように、取出口８および空気孔１１の深さ（キャップ７の円板部７ａの厚さ）よりも低く形成されているが、取出口８および空気孔１１を貫通するように高く形成してもよい。これにより、蓋９の開閉に伴って取出口プラグ１３および空気孔プラグ１４が取出口８および空気孔１１に貫通して挿抜され、取出口８および空気孔１１に調味料（特に液体調味料）が残留して乾燥することによる詰まりを防止できる。
【００２４】
（係合部１５、被係合部１６）
図１、図３（ａ）、図４（ｂ）に示すように、蓋９には係合部１５が設けられ、キャップ９には係合部１５が係合離脱する被係合部１６が設けられており、係合部１５が被係合部１６に係合することで蓋９が閉姿勢に保持されるようになっている。なお、図１においては、作図の都合上、係合部１５および被係合部１６は、上部手前の一組のみ表示している。係合部１５は、図１、図３（ａ）に示すように、蓋９の外縁に階段状に形成された凹部からなる。一方、被係合部１６は、図４（ｂ）に示すように、キャップ７の円板部７ａの外縁に立設された柱部１６ａと、柱部１６ａから内方に延出して形成され凹部（係合部１５）に係脱する爪部１６ｂと、柱部１６ａから外方に延出して形成された操作部１６ｃとを有し、キャップ７と同材質で一体的に形成されている。
【００２５】
蓋９を開くときには、操作部１６ｃに図４（ｂ）に一点鎖線で示す矢印の方向の力を加える。すると、柱部１６ａが外方に撓み、爪部１６ｂが凹部（係合部１５）から離脱し、蓋９の開きが許容される。その後、開いた蓋９を閉じると、蓋９の凹部（係合部１５）にキャップ７の爪部１６ｃが係合し、蓋９が閉じた状態に保持される。このとき、図２（ｂ）に示すように、蓋９に突設した取出口プラグ１３および空気孔プラグ１４が、キャップ７に形成した取出口８および空気孔１１に圧入されるので、これも蓋９の閉保持に寄与する。
【００２６】
（作用・効果）
図１に示すように、本実施形態に係る調味料入れ１は、開口部２と底部３を有する容器本体４の内部を、開口部２から底部３に向かって形成された仕切壁５で複数の収容室６に仕切り、開口部２を覆って装着されたキャップ７に各収容室６毎に取出口８を形成し、各取出口８を夫々開閉する蓋９を備えた調味料容器１０を二個備え、これら調味料容器１０の底部３同士が対向するように連結された構造であるので、調味料容器１０が１８０度向きを異ならせて上下二段に積層された状態となる。この構成により、複数種類の調味料を容量を減少させることなく収容できると共に、テーブル上に載置された際の専有面積が小さいコンパクトな調味料入れを実現できる。
【００２７】
すなわち、この調味料入れ１は、上述した二個の調味料容器１０が１８０度向きを異ならせて上下二段に積層された構造なので、仕切壁５の数を増やすことなく収容室６の数を増やすことができ、仕切壁５の数を増やすことによる収容室６の容積の低下を回避しつつ、収容室６の数を増やすことができる。よって、各収容室６に収容される調味料の種類を増やして多様化する顧客の好みに対応しつつ、各収容室６の容積を拡大して調味料を補充する期間を延ばすことができる。
【００２８】
また、二個の調味料容器１０が１８０度向きを異ならせて上下二段に積層された構造なので、容器１０の直径を大きくすることなく、収容室６の数の増加と収容室６の容積の拡大を両立して調味料の種類を増やして容量を拡大でき、テーブル上に載置された際の専有面積が小さいコンパクトな調味料入れ１を実現できる。また、容器１０の直径を大きくする必要がないので、掴み易く、取扱性に優れる。
【００２９】
図２、図３に示すように、蓋９が閉じられたとき、蓋９に突設された取出口プラグ１３と空気孔プラグ１４が、夫々、キャップ７に形成された取出口８と空気孔１１に押し込まれ、弾性変形して圧入される。これにより、取出口プラグ１３と空気孔プラグ１４がシールとして機能し、調味料の漏れを防止できる。例えば、図１において、上下二段に積層された調味料容器１０のうち、下側の調味料容器１０の収容室６に液体の調味料（醤油、ラー油、酢等）を収容した場合、取出口８および空気孔１１から液体調味料が漏れる事態が懸念されるが、上述したように、取出口８および空気孔１１に圧入される取出口プラグ１３と空気孔プラグ１４がシールとして機能することで、漏れを防止できる。
【００３０】
図４に示すように、蓋９が閉じられたとき、蓋９に設けられた係合部（凹部）１５がキャップ７に設けられた被係合部１６（爪部１６ｂ）に係合し、蓋９が閉姿勢に保持される。こうして、係合部１５が被係合部１６に係合することに加えて、取出口プラグ１３および空気孔プラグ１４が取出口８および空気孔１１に圧入されることで、蓋９が閉姿勢に保持される。よって、調味料入れ１の使用者（ラーメン店等の顧客）の意に反して蓋９が開いてしまう事態を防止でき、調味料が誤って放出される事態を防止できる。例えば、図１において、下側の調味料容器１０の収容室６に液体の調味料を収容した場合、蓋９が誤って開くと、液体調味料が漏れ出てしまうが、操作部１６ｃに力を加えない限り蓋９が開くことはないため、蓋９が閉姿勢に保持され、漏れを防止できる。
【００３１】
以上、添付図面を参照しつつ本考案の好適な実施形態について説明したが、本考案は上述した各実施形態に限定されないことは勿論であり、実用新案登録請求の範囲に記載された範疇における各種の変更例又は修正例についても、本考案の技術的範囲に属することは言うまでもない。
【産業上の利用可能性】
【００３２】
本考案は、複数の異なった種類の液体または粉粒体の調味料を収容でき、コンパクト化を図った調味料入れに利用できる。
【符号の説明】
【００３３】
１  調味料入れ
２  開口部
３  底部
４  容器本体
５  仕切壁
６  収容室
７  キャップ
８  取出口
９  蓋
１０  調味料容器
１１  空気孔
１２  ヒンジ
１３  取出口プラグ
１４  空気孔プラグ
１５  係合部
１６  被係合部
【図１】
0003208170.tif 000003
【図２】
0003208170.tif 000004
【図３】
0003208170.tif 000005
【図４】
0003208170.tif 000006